【手続補正書】
【提出日】平成26年12月22日(2014.12.22)
【手続補正１】
【補正対象書類名】明細書
【補正対象項目名】発明の名称
【補正方法】変更
【補正の内容】
【発明の名称】装置故障評価装置
【手続補正２】
【補正対象書類名】明細書
【補正対象項目名】０００１
【補正方法】変更
【補正の内容】
【０００１】
本発明は、例えば無停電電源システムや電力需給システム（例えばマイクログリッド需給管理システム）等の需要家装置から発生する音響信号の周波数成分を計算し、当該需要家装置の状態を評価する装置故障評価装置に関する。
【手続補正３】
【補正対象書類名】明細書
【補正対象項目名】０００８
【補正方法】変更
【補正の内容】
【０００８】
本発明は上記事情に鑑みてなされたもので、需要家装置から発生する音響信号を測定し、その測定された音響信号を周波数分析し、当該需要家装置の故障や前兆となる異常を推定する装置故障評価装置を提供することを目的とする。
【手続補正４】
【補正対象書類名】明細書
【補正対象項目名】０００９
【補正方法】変更
【補正の内容】
【０００９】
上記課題を解決するために、実施形態は、複数の需要家装置のうち、少なくとも一つの需要家装置から発生する信号を測定する測定手段と、前記測定手段で測定される信号を波形分析し実測周波数成分を算出する周波数成分算出手段と、前記需要家装置について当該需要家装置に特有の周波数と推定される負荷周波数成分の周波数負荷パターンを記憶するデータ記録手段と、前記周波数成分算出手段で算出された実測周波数成分について、前記データ記録手段に記憶される複数の負荷周波数成分のそれぞれの周波数成分一致度を計算する周波数成分一致度計算手段と、前記周波数成分一致度計算手段で算出される周波数成分一致度のうち、前記周波数成分一致度が高い負荷周波数成分に対応する周波数負荷パターンから、前記複数の需要家装置のうち少なくとも一つの需要家装置に係る周波数の影響の高い前記周波数負荷パターンを推定し、その結果を出力する出力手段とを備えることを特徴とする装置故障評価装置である。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明によれば、需要家装置から発生する音響信号を測定し、その測定された音響信号を周波数分析し、需要家装置の故障や前兆となる異常を推定できる装置故障評価装置を提供できる。
【手続補正７】
【補正対象書類名】特許請求の範囲
【補正対象項目名】全文
【補正方法】変更
【補正の内容】
【特許請求の範囲】
【請求項１】
複数の需要家装置のうち、少なくとも一つの需要家装置から発生する信号を測定する測定手段と、
前記測定手段で測定される信号を波形分析し実測周波数成分を算出する周波数成分算出手段と、
前記需要家装置について当該需要家装置に特有の周波数と推定される負荷周波数成分の周波数負荷パターンを記憶するデータ記録手段と、
前記周波数成分算出手段で算出された実測周波数成分について、前記データ記録手段に記憶される複数の負荷周波数成分のそれぞれの周波数成分一致度を計算する周波数成分一致度計算手段と、
前記周波数成分一致度計算手段で算出される周波数成分一致度のうち、前記周波数成分一致度が高い負荷周波数成分に対応する周波数負荷パターンから、前記複数の需要家装置のうち少なくとも一つの需要家装置に係る周波数の影響の高い前記周波数負荷パターンを推定し、その結果を出力する出力手段と
を備えることを特徴とする装置故障評価装置。
【請求項２】
請求項１に記載の装置故障評価装置において、
前記データ記録手段は、前記需要家装置について、当該各需要家装置の故障や前兆となる周波数異常と推定される周波数異常周波数成分を有する周波数異常パターンをさらに記憶し、
前記周波数成分一致度計算手段は、前記周波数成分算出手段で算出された実測周波数成分について、前記データ記録手段に記憶される複数の周波数異常周波数成分のそれぞれの周波数成分一致度をさらに計算し、
前記出力手段は、前記周波数成分一致度計算手段で算出される周波数成分一致度のうち、前記周波数成分一致度の高い異常周波数成分に対応する周波数異常パターンから、前記複数の需要家装置のうち少なくとも一つの需要家装置に係る故障やその前兆となる前記周波数異常パターンをさらに推定し、その結果を出力することを特徴とする装置故障評価装置。
【請求項３】
請求項１に記載の装置故障評価装置において、
前記データ記録手段は、前記需要家装置について、当該各需要家装置の正常時の周波数と推定される周波数正常周波数成分を有する周波数正常パターンをさらに記憶しと、
前記周波数成分一致度計算手段は、前記周波数成分算出手段で算出された実測周波数成分について、前記データ記録手段に記憶される複数の周波数正常周波数成分のそれぞれの周波数成分一致度をさらに計算し、
前記出力手段は、前記周波数成分一致度計算手段で算出された周波数成分一致度のうち、当該周波数成分一致度が低い前記周波数正常周波数成分に対応する周波数正常パターンから、周波数異常の可能性を示す周波数正常パターンをさらに推定し、その結果を出力することを特徴とする装置故障評価装置。
【請求項４】
請求項１に記載の装置故障評価装置において、
前記データ記録手段は、前記需要家装置について、各需要家装置の故障や前兆となる周波数異常と推定される周波数異常周波数成分を有する周波数異常パターンと前記各要家装置の正常時の周波数と推定される周波数正常周波数成分を有する周波数正常パターンとをさらに記憶し、
前記周波数成分一致度計算手段は、前記周波数成分算出手段で算出された実測周波数成分について、前記データ記録手段に記憶される複数の周波数異常周波数成分と複数の周波数正常周波数成分とのそれぞれの周波数成分一致度をさらに計算し、
前記出力手段は、前記周波数成分一致度計算手段で算出される周波数成分一致度のうち、当該周波数成分一致度が高い前記周波数異常周波数成分に対応する周波数異常パターンから、周波数異常の可能性が高い当該周波数異常パターンをさらに推定し、また、前記周波数成分一致度が低い前記周波数正常周波数成分に対応する周波数正常パターンから、周波数異常の可能性を示す周波数正常パターンをさらに推定し、その結果を出力することを特徴とする装置故障評価装置。
【請求項５】
請求項２に記載の装置故障評価装置において、
前記出力手段は、前記周波数成分一致度の高い周波数異常周波数成分をもつ前記周波数異常パターンから順に表示することを特徴とする装置故障評価装置。
【請求項６】
請求項３に記載の装置故障評価装置において、
前記出力手段は、前記周波数成分一致度の高い周波数正常周波数成分をもつ前記周波数正常パターンから順に表示することを特徴とする装置故障評価装置。
【請求項７】
請求項４に記載の装置故障評価装置において、
前記出力手段は、前記周波数成分一致度の高い順に、前記周波数異常周波数成分をもつ前記周波数異常パターン及び前記周波数正常周波数成分をもつ前記周波数正常パターンを表示することを特徴とする装置故障評価装置。
【請求項８】
請求項４に記載の装置故障評価装置において、
前記出力手段は、前記周波数成分一致度の高い順に、前記周波数異常周波数成分をもつ前記周波数異常パターン、前記周波数正常周波数成分をもつ前記周波数正常パターン及び前記負荷周波数成分をもつ前記周波数負荷パターンを表示することを特徴とする装置故障評価装置。
【請求項９】
請求項１ないし請求項４の何れか一項に記載の装置故障評価装置において、
前記出力手段は、所要期間にわたって予め定めた時間毎に前記周波数成分算出手段及び前記周波数成分一致度計算手段を繰り返し実行させることにより、前記各パターンにおける前記周波数成分一致度の時系列的な変化を表示することを特徴とする装置故障評価装置。
【請求項１０】
請求項１ないし請求項４の何れか一項に記載の装置故障評価装置において、
前記出力手段の出力側に、周波数異常の程度が予め決められた周波数警戒レベル閾値を超えたとき、周波数異常発生源となる前記需要家装置に注意を喚起するアラーム情報を通知するアラーム発生手段を設けたことを特徴とする装置故障評価装置。
【請求項１１】
請求項１ないし請求項４及び請求項１０の何れか一項に記載の装置故障評価装置において、
前記出力手段の出力側に、周波数異常の程度が予め決められた周波数危険レベル閾値を超えたとき、周波数異常発生源となる前記需要家装置に動作抑制ないし停止の制御指令を送出する制御指令発生手段を設けたことを特徴とする装置故障評価装置。